(57)【特許請求の範囲】
【請求項１】
垂直平面状の係止面と、該係止面の上端近傍に外方に突出して形成された係止爪とからなる係止部と、該係止部の下端を外側方に屈曲して突出した突出片とから断面略Ｌ字状に形成した汚れ防止材が、家屋のサッシ枠の左右端下部に位置する横張り建築用パネル間の連結目地部に係止部が挿入されて建築用パネルの雄実部と雌実部間に固定されていることを特徴とする窓下構造。
【発明の詳細な説明】
【技術分野】
【０００１】
本発明は長尺状の横張り建築用パネルを施工した際の、窓下の汚染防止、として機能する窓下構造に関するものである。
【背景技術】
【０００２】
一般に、外壁を施工した際には煤塵、排気汚れ、コーキング材へ付着した汚れ、等を含んだ雨水が窓枠等を伝って窓下部分に垂れ、その雨水が蒸発した後には筋状の汚れが残ってしまうものであった。さらに、その部分から外壁が腐食したり、腐食箇所が黒色や茶褐色に汚れとして現れ、外観を損なうものであった。そこで、窓下の汚れ、腐食防止を目的とした部材、構造が考え出されている。（例えば、特許文献１、２参照）。
【０００３】
【特許文献１】特開平９−１５８４５８号
【特許文献２】特開平１０−２９２５０２号
【発明の開示】
【発明が解決しようとする課題】
【０００４】
しかしながら、この種汚れ防止用の部材、構造は、（１）外壁材を施工する時点で形成する必要がある。（２）施工は外壁施工時に行われるために後付けが不可能である。（３）必要部分にのみ形成出来る。等の欠点があった。
【課題を解決するための手段】
【０００５】
本発明はこのような欠点を解決するために、垂直平面状の係止面と、係止面の上端近傍に外方に突出して形成された係止爪とからなる係止部と、係止部の下端を外側方に屈曲して突出した突出片とから断面略Ｌ字状に形成した汚れ防止材が、家屋のサッシ枠の左右端下部に位置する横張り建築用パネル間の連結目地部に係止部が挿入されて建築用パネルの雄実部と雌実部間に固定されている窓下構造を提供するものである。
【発明の効果】
【０００６】
本発明に係る窓下構造によれば、（１）窓枠からの雨水による建築用パネルの汚染を防止出来る。（２）建築用パネル施工後に、必要部分に任意に形成出来る。等の特徴、効果がある。
【発明を実施するための最良の形態】
【０００７】
以下に、図面を用いて本発明に係る窓下構造の一実施例について詳細に説明する。図１（ａ）、（ｂ）は本発明に係る窓下構造の一実施例を示す説明図、図２（ａ）、（ｂ）は従来の窓下構造の一実施例を示す説明図、図３は本発明に係る窓下構造の一実施例を示す断面図、図４は建築用パネルの施工状態を示す断面図、図５（ａ）〜（ｃ）は汚れ防止材Ａの代表的な例を示す断面図と斜視図であり、図５（ａ）は図５（ｃ）のａ−ａ線断面図、図５（ｂ）は図５（ｃ）のｂ−ｂ線断面図である。図６は建築用パネルＣを示す断面図である。なお、Ｂはパッキング材、αは躯体（一点鎖線はアスファルトフェルト、防風透湿シート、等のシート）、βは固定具、γは連結目地部、Ｈは家屋、Ｍは窓、Ｓはサッシ、Ｓ１はサッシ枠、Ｙは汚れである。
【０００８】
さらに詳説すると、汚れ防止材Ａは垂直平面状の係止面１と、係止面１の先端近傍の側面２を外方に突出して形成した係止爪３とからなる係止部４と、係止部４の下端を外側方に屈曲して突出した突出片５と、突出片５の先端を下方に傾斜して屈曲した水切り片６と、水切り片６の先端を内側方に傾斜して屈曲した折り返し片７とから断面略Ｌ字状に形成したものである。
【０００９】
汚れ防止材Ａの素材としては、金属製薄板材、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種、あるいは金属製板材に樹脂をモールディングした材料、等を各種形状に成形したものである。
【００１０】
係止部４は、図３に示すように建築用パネルＣの上下端部の雄実部１１、雌実部１２間の連結目地部γに挿入され、雌実部１２に形成した段差１２ａに係止爪３を係止することにより建築用パネルＣ間に汚れ防止材Ａを固定する部分である。
【００１１】
突出片５は建築用パネルＣ間の連結目地部γにおいて、図１（ａ）、（ｂ）、図３に示すように、窓Ｍの左右のサッシ枠Ｓ１の下部の建築用パネルＣの連結目地部γ部分に幅（長さ）１００ｍｍ〜１５０ｍｍ位の長さで形成し、図２（ａ）、（ｂ）に示すような家屋Ｈにおける窓Ｍのサッシ枠Ｓ１下部の汚れＹが発生しないように形成したものである。
【００１２】
パッキング材Ｂは連結目地部γの防水性の強化のために形成するものである。
【００１３】
建築用パネルＣは一例としては、図６に示すように表面材８と裏面材９で合成樹脂を原料とする合成樹脂発泡体からなる芯材１０を、サンドイッチした建築用パネルＣであり、少なくとも上下端部に雄実部１１と雌実部１２、段差１２ａ、固定部１３を形成した横張り金属系サイディング材である。
【００１４】
表面材８、裏面材９は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１５】
段差１２ａは、図３に示すように、建築用パネルＣ間に挿入した汚れ防止材Ａの係止爪３を係止することにより汚れ防止材Ａを建築用パネルＣ間に固定するためのものである。
【００１６】
また、芯材１０はポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材８、もしくは裏面材９の裏面側に吐出させ、加熱して反応・発泡・硬化させて形成したものである。また、芯材１０中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１７】
ここで、本発明に係る窓下構造の施工方法について説明する。まず、図７に示すように躯体αに図６に示すような窓Ｍの下に建築用パネルＣの固定部１３を釘等の固定具βにより固定する。次に、図８、図９に示すように建築用パネルＣ、バックアップ材１４、コーキング材１５を施工する。その後、図１（ｂ）に示すような位置に、図１０、図１１に示すように汚れ防止材Ａを矢印で示すように連結目地部γ間に挿入し、段差１２ａに係止爪３を係止して汚れ防止材Ａを固定するものである。
【００１８】
このように形成された、本発明に係る汚れ防止構造によれば、図３に示すように窓Ｍのサッシ枠Ｓ１部分より流れ落ちた雨水に含まれる汚れＹは、矢印で示すように水切り片６の先端より矢印で示すように地面に流れ落ち、汚れ防止材Ａより下部の建築用パネルＣの表面材（を汚染することが無くなるものである。
【００１９】
汚れ防止材Ａの形成位置は、図１（ｂ）に示すように、窓Ｍの左右のサッシ枠Ｓ１の下部で、サッシ枠Ｓ１の端部よりも外方に突出する位置（所為、汚れ防止材Ａの中心がサッシ枠Ｓ１端部の位置Ｗ１＝Ｗ２）に来るように形成することにより、サッシ枠Ｓ１に形成されたサッシＳと建築用パネルＣ間に形成されたコーキング材等から流れ出る汚れＹを建築用パネルＣ上に形成されないようにするものである。勿論、Ｗ１＞Ｗ２、Ｗ１＜Ｗ２でも良いものである。
【００２０】
以上説明したのは、本発明に係る窓下構造の一実施例にすぎず、図１２〜図１７（ａ）、（ｂ）に示すように形成することが出来るものである。
【００２１】
図１２は汚れ防止材Ａと建築用パネルＣ間にコーキング材１５を形成し、汚れ防止材Ａの取付強度を向上した窓下構造である。
【００２２】
図１３は、建築用パネルＣに嵌合溝１１ａを形成したものを使用することにより、汚れ防止材Ａの取付強度を向上した窓下構造である。
【００２３】
図１４（ａ）〜（ｋ）は汚れ防止材Ａのその他の実施例を示す断面図である。
【００２４】
図１５（ａ）、（ｂ）、図１６（ａ）、（ｂ）は建築用パネルＣのその他の実施例を示すものである。
【００２５】
図１７（ａ）、（ｂ）は本発明に係る窓下構造のその他の実施例を示す説明図であり、（ａ）図は窓Ｍに対して１枚の汚れ防止材Ａを形成した窓下構造、（ｂ）図は汚れ防止材Ａが窓Ｍ直下よりも下方に形成された場合の窓下構造である。
【図面の簡単な説明】
【００２６】
【図１】本発明に係る窓下構造の一実施例を示す説明図である。
【図２】本発明に係る窓下構造の従来例を示す説明図である。
【図３】本発明に係る窓下構造の一実施例を示す断面図である。
【図４】本発明に使用する建築用パネルの施工状態を示す断面図である。
【図５】本発明に係る窓下構造に使用する汚れ防止材の一実施例を示す説明図である。
【図６】本発明に係る窓下構造に使用する建築用パネルの一実施例を示す断面図である。
【図７】本発明に係る窓下構造の施工順序の一例を示す断面図である。
【図８】本発明に係る窓下構造の施工順序の一例を示す断面図である。
【図９】本発明に係る窓下構造の施工順序の一例を示す断面図である。
【図１０】本発明に係る窓下構造の施工順序の一例を示す断面図である。
【図１１】本発明に係る窓下構造の施工順序の一例を示す断面図である。
【図１２】本発明に係る窓下構造のその他の実施例を示す断面図である。
【図１３】本発明に係る窓下構造のその他の実施例を示す断面図である。
【図１４】本発明に係る窓下構造に使用する汚れ防止材のその他の実施例を示す断面図である。
【図１５】本発明に係る窓下構造に使用する建築用パネルのその他の実施例を示す断面図である。
【図１６】本発明に係る窓下構造に使用する建築用パネルのその他の実施例を示す断面図である。
【図１７】本発明に係る窓下構造のその他の実施例を示す断面図である。
【符号の説明】
【００２７】
Ａ  汚れ防止材
Ｂ  パッキング材
Ｃ  建築用パネル
Ｈ  家屋
Ｍ  窓
Ｓ  サッシ
Ｓ１  サッシ枠
Ｙ  汚れ
α  躯体
β  固定具
γ  連結目地部
１  係止面
２  側面
３  係止爪
４  係止部
５  突出片
６  水切り片
７  折り返し片
８  表面材
９  裏面材
１０  芯材
１１  雄実部
１１ａ  嵌合溝
１２  雌実部
１２ａ  段差
１３  固定面
１４  バックアップ材
１５  コーキング材
【図１】
0005046991.tif 000002
【図２】
0005046991.tif 000003
【図３】
0005046991.tif 000004
【図４】
0005046991.tif 000005
【図５】
0005046991.tif 000006
【図６】
0005046991.tif 000007
【図７】
0005046991.tif 000008
【図８】
0005046991.tif 000009
【図９】
0005046991.tif 000010
【図１０】
0005046991.tif 000011
【図１１】
0005046991.tif 000012
【図１２】
0005046991.tif 000013
【図１３】
0005046991.tif 000014
【図１４】
0005046991.tif 000015
【図１５】
0005046991.tif 000016
【図１６】
0005046991.tif 000017
【図１７】
0005046991.tif 000018